【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
携帯型電子デバイスのための操作モードを決定する方法であって、該携帯型電子デバイスは、表示装置と、入力装置と、少なくとも１つの出力装置と、処理装置とを含み、該処理装置は、所定のイベントの発生が検知されたとき、該少なくとも１つの出力装置に出力信号を提供するように適合されており、該方法は、
複数の非テキスト視覚性の出力を該表示装置に表示することであって、該複数の非テキスト視覚性の出力のうちのそれぞれ１つは、該少なくとも１つの出力装置のための複数の出力モードのうちのそれぞれ１つに関連付けられている、ことと、
該複数の非テキスト視覚性の出力のうちの所与の出力が既に選択されたという入力を該入力装置から受信することにより、該複数の出力モードのうちの関連付けられた１つの出力モードが現在のアクティブ出力モードになることと、
該複数の非テキスト視覚性の出力のうちの該所与の出力への該入力に基づいてプロフィールアイコンを変更することにより、該プロフィールアイコンの外観が該現在のアクティブ出力モードを示すようにすることと、
該所定のイベントの発生が検知されたとき、該プロフィールアイコンによって視覚的に表された該現在のアクティブ出力モードに従って、該出力信号を提供することと
を含む、方法。
【請求項２】
前記複数の出力モードは、第１の出力設定と、少なくとも１組の代替的な出力設定とを含み、前記複数の非テキスト視覚性の出力は、該第１の出力設定に対応する第１の視覚性の出力と、該少なくとも１組の代替的な出力設定に対応する少なくとも１つのさらなる視覚性の出力とを含む、請求項１に記載の方法。
【請求項３】
前記第１の出力設定は、ノーマル（ＮＯＲＭＡＬ）モードに対応する、請求項２に記載の方法。
【請求項４】
前記少なくとも１組の代替的な出力設定は、オフ（ＯＦＦ）モードに対応し、前記方法は、前記複数の非テキスト視覚性の出力のうちの前記所与の出力が該オフモードに対応するとき、前記出力信号を提供することを控えることをさらに含む、請求項２に記載の方法。
【請求項５】
前記少なくとも１組の代替的な出力設定は、サイレント（ＳＩＬＥＮＴ）モードに対応し、前記第１の出力設定は、前記所定のイベントに応答して可聴性の出力を提供する音声出力設定を含み、前記方法は、前記複数の非テキスト視覚性の出力うちの前記所与の出力が該サイレントモードに対応するとき、該所定のイベントに応答して可聴性の出力を表す出力信号を前記少なくとも１つの出力装置に提供することを控え、該所定のイベントに応答して非音声出力を表す出力信号を該少なくとも１つの出力装置に提供することをさらに含む、請求項２に記載の方法。
【請求項６】
前記少なくとも１組の代替的な出力設定は、大音量（ＬＯＵＤ）モードに対応し、前記第１の出力設定は、前記所定のイベントに応答して第１のレベルで可聴性の出力を提供する音声出力設定を含み、前記方法は、前記複数の非テキスト視覚性の出力のうちの前記所与の出力が該大音量モードに対応するとき、該第１のレベルよりも高い第２のレベルで該所定のイベントに応答して可聴出力を表す出力信号を該少なくとも１つの出力装置に提供することをさらに含む、請求項２に記載の方法。
【請求項７】
前記少なくとも１組の代替的な出力設定は、電話専用（ＴＥＬＥＰＨＯＮＥ  ＯＮＬＹ）モードに対応し、前記第１の出力設定は、電話イベント以外の所定のイベントのための出力設定を含み、前記方法は、前記複数の非テキスト視覚性の出力のうちの前記所与の出力が該電話専用モードに対応するとき、前記所定のイベントが非電話イベントを含む場合には該少なくとも１つの出力装置に出力信号を提供することを控え、該所定のイベントが電話イベントを含む場合には該少なくとも１つの出力装置に出力信号を提供することをさらに含む、請求項２に記載の方法。
【請求項８】
前記携帯型電子デバイスは、複数の出力装置をさらに含み、該複数の出力装置は、少なくとも１つの出力装置を含み、前記複数の出力モードのうちのそれぞれ１つは、該複数の出力装置のうちのそれぞれ１つのための設定を含む、請求項１に記載の方法。
【請求項９】
前記複数の出力モードのうちのそれぞれは、可聴性の出力、視覚性の出力、触覚性の出力のうちの少なくとも１つのための設定を含む、請求項１に記載の方法。
【請求項１０】
前記複数の出力モードは、オフモード、サイレントモード、電話専用モードのうちの少なくとも１つを含む、請求項１に記載の方法。
【請求項１１】
前記少なくとも１つの出力装置は、光源、発光ダイオード（ＬＥＤ）、スピーカ、バイブレーション機構のうちの少なくとも１つを含む、請求項１に記載の方法。
【請求項１２】
ディスプレイ装置と、入力装置と、少なくとも１つの出力装置と、処理装置とを含む携帯型電子デバイスであって、
該処理装置は、
所定のイベントの発生が検知されたとき、該少なくとも１つの出力装置に出力信号を提供することと、
複数の非テキスト視覚性の出力を該表示装置に表示することであって、該複数の非テキスト視覚性の出力のうちのそれぞれ１つは、該少なくとも１つの出力装置のための複数の出力モードのうちのそれぞれ１つに関連付けられている、ことと、
該複数の非テキスト視覚性の出力のうちの所与の出力が既に選択されたという入力を該入力装置から受信することにより、該複数の出力モードのうちの関連付けられた１つの出力モードが現在のアクティブ出力モードになることと、
該複数の非テキスト視覚性の出力のうちの該所与の出力への該入力に基づいてプロフィールアイコンを変更することにより、該プロフィールアイコンの外観が該現在のアクティブ出力モードを示すようにすることと、
該所定のイベントの発生が検知されたとき、該プロフィールアイコンによって視覚的に表された該現在のアクティブ出力モードに従って、該出力信号を提供することと
を行うことが可能である、携帯型電子デバイス。
【請求項１３】
前記複数の出力モードは、第１の出力設定と、少なくとも１組の代替的な出力設定とを含み、前記複数の非テキスト視覚性の出力は、該第１の出力設定に対応する第１の視覚性の出力と、該少なくとも１組の代替的な出力設定に対応する少なくとも１つのさらなる視覚性の出力とを含む、請求項１２に記載の携帯型電子デバイス。
【請求項１４】
前記第１の出力設定は、ノーマル（ＮＯＲＭＡＬ）モードに対応する、請求項１３に記載の携帯型電子デバイス。
【請求項１５】
前記少なくとも１組の代替的な出力設定は、オフ（ＯＦＦ）モードに対応し、前記処理装置は、前記複数の非テキスト視覚性の出力のうちの前記所与の出力が該オフモードに対応するとき、出力信号を提供することを控えるようにさらに動作可能である、請求項１３に記載の携帯型電子デバイス。
【請求項１６】
前記少なくとも１組の代替的な出力設定は、サイレント（ＳＩＬＥＮＴ）モードに対応し、前記第１の出力設定は、前記所定のイベントに応答して可聴性の出力を提供する音声出力設定を含み、前記処理装置は、前記複数の非テキスト視覚性の出力うちの前記所与の出力が該サイレントモードに対応するとき、該所定のイベントに応答して可聴性の出力を表す出力信号を前記少なくとも１つの出力装置に提供することを控え、該所定のイベントに応答して非音声出力を表す出力信号を該少なくとも１つの出力装置に提供するようにさらに動作可能である、請求項１３に記載の携帯型電子デバイス。
【請求項１７】
前記少なくとも１組の代替的な出力設定は、大音量（ＬＯＵＤ）モードに対応し、前記第１の出力設定は、前記所定のイベントに応答して第１のレベルで可聴性の出力を提供する音声出力設定を含み、前記処理装置は、該複数の非テキスト視覚性の出力のうちの前記所与の出力が該大音量モードに対応するとき、該第１のレベルよりも高い第２のレベルで該所定のイベントに応答して可聴出力を表す出力信号を該少なくとも１つの出力装置に提供するようにさらに動作可能である、請求項１３に記載の携帯型電子デバイス。
【請求項１８】
前記少なくとも１組の代替的な出力設定は、電話専用（ＴＥＬＥＰＨＯＮＥ  ＯＮＬＹ）モードに対応し、前記第１の出力設定は、電話イベント以外の所定のイベントのための出力設定を含み、前記処理装置は、前記複数の非テキスト視覚性の出力のうちの前記所与の出力が該電話専用モードに対応するとき、該所定のイベントが非電話イベントを含む場合は該少なくとも１つの出力装置に出力信号を提供することを控え、該所定のイベントが電話イベントを含む場合は該少なくとも１つの出力装置に出力信号を提供するようにさらに動作可能である、請求項１３に記載の携帯型電子デバイス。
【請求項１９】
複数の出力装置をさらに含み、該複数の出力装置は、該少なくとも１つの出力装置を含み、前記複数の出力モードのうちのそれぞれ１つは、該複数の出力装置のうちのそれぞれ１つのための設定を含む、請求項１２に記載の携帯型電子デバイス。
【請求項２０】
前記複数の出力モードのうちのそれぞれは、可聴性の出力、視覚性の出力、触覚性の出力のうちの少なくとも１つのための設定を含む、請求項１２に記載の携帯型電子デバイス。
【請求項２１】
前記複数の出力モードは、オフモード、サイレントモード、電話専用モードのうちの少なくとも１つを含む、請求項１２に記載の携帯型電子デバイス。
【請求項２２】
前記少なくとも１つの出力装置は、光源、発光ダイオード（ＬＥＤ）、スピーカ、バイブレーション機構のうちの少なくとも１つを含む、請求項１２に記載の携帯型電子デバイス。